(57)【特許請求の範囲】
【請求項１】
一方の入力端子に楽音信号が入力され、他方の入力端子に出力端子から出力される前記楽音信号が帰還されるオペアンプと、
前記他方の入力端子に接続された入力抵抗と、
前記他方の入力端子と前記出力端子との間に設けられた帰還抵抗と、
それぞれのカソードが接続され、前記帰還抵抗に並列に設けられたツェナーダイオードと、
それぞれのカソードとアノードとが接続されるように、並列に接続され、前記ツェナーダイオードのカソード間に設けられたダイオードと、
を備えることを特徴とするエフェクト回路。
【請求項２】
一方の入力端子に楽音信号が入力され、他方の入力端子に出力端子から出力される前記楽音信号が帰還されるオペアンプと、
前記他方の入力端子に接続された入力抵抗と、
前記他方の入力端子と前記出力端子との間に設けられた帰還抵抗と、
それぞれのカソードが接続され、前記出力端子に並列に設けられたツェナーダイオードと、
それぞれのカソードとアノードとが接続されるように、並列に接続され、前記ツェナーダイオードのカソード間に設けられたダイオードと、
を備えることを特徴とするエフェクト回路。
【請求項３】
前記ダイオードは、アノードとカソードとが直列に接続された２以上のダイオードを含み、並列となる数が異なることを特徴とする請求項１又は２に記載のエフェクト回路。
【請求項４】
前記ダイオードは、並列となる数が同じであることを特徴とする請求項１又は２に記載のエフェクト回路。
【請求項５】
前記入力抵抗は、可変抵抗であることを特徴とする請求項１〜４のいずれか１項に記載のエフェクト回路。
【請求項６】
前記帰還抵抗は、可変抵抗であることを特徴とする請求項１〜５のいずれか１項に記載のエフェクト回路。
【請求項７】
前記ダイオードは、シリコンダイオードであることを特徴とする請求項１〜６のいずれか１項に記載のエフェクト回路。
【発明の詳細な説明】
【技術分野】
【０００１】
本発明は、エレクトリックギター、エレクトリックベース等の電気楽器、キーボード等の電子楽器、玩具から入力される楽音信号に歪等の効果を付与するエフェクト回路に関する。
【背景技術】
【０００２】
エレクトリックギター、エレクトリックベース等の電気楽器、キーボード等の電子楽器、玩具による演奏において、電気楽器、電子楽器等から入力される楽音信号に歪等の効果を付与するエフェクト回路が使用される。エフェクト回路としては、楽音信号を対称にクリップさせて歪効果を付与するディストーション回路、楽音信号を非対称にクリップさせて歪効果を付与するオーバードライブ回路等が知られている（例えば、特許文献１参照）。
【０００３】
図９は、楽音信号を対称にクリップさせて歪効果を付与する、従来のエフェクト回路の回路構成を示す図である。図９に示すように、エフェクト回路１００は、オペアンプＵ１、ツェナーダイオードＤ１、Ｄ２、抵抗Ｒ１〜Ｒ３、コンデンサＣ１〜Ｃ４、可変抵抗ＶＲ１を備える。オペアンプＵ１は、電気楽器から入力される楽音信号を増幅する。オペアンプＵ１の正入力端子には、楽音信号が入力される。また、オペアンプＵ１の正入力端子には、抵抗Ｒ１を介して、バイアス電圧Ｖｃｃ／２が付与される。オペアンプＵ１の負入力端子には、出力端子から出力される楽音信号が帰還される。可変抵抗ＶＲ１は、オペアンプＵ１の負入力端子と出力端子との間、すなわち、オペアンプＵ１の帰還部分に設けられた帰還抵抗である。抵抗Ｒ２は、オペアンプＵ１の負入力端子に接続された入力抵抗である。抵抗Ｒ２と可変抵抗ＶＲとにより、オペアンプＵ１の増幅率が決まる。すなわち、オペアンプＵ１は、抵抗Ｒ２と可変抵抗ＶＲとによって決まる増幅率で楽音信号を増幅する。ユーザーは、例えば、エフェクト回路１００の筐体に設けられた図示しない操作ツマミを操作することにより、可変抵抗ＶＲ２の抵抗値を変更することができる。
【０００４】
ツェナーダイオードＤ１、Ｄ２は、楽音信号をクリップし、楽音信号に歪効果を付与する。ツェナーダイオードＤ１、Ｄ２は、それぞれのカソードが接続され、可変抵抗ＶＲ１に並列に設けられている。すなわち、ツェナーダイオードＤ１、Ｄ２は、オペアンプＵ１の帰還部分に設けられている。
【０００５】
抵抗Ｒ３は、オペアンプＵ１の出力端子に並列に設けられ、一端が接地されている。コンデンサＣ１〜Ｃ３は、図示する位置に設けられている。
【０００６】
エフェクト回路１００においては、正側の楽音信号は、ツェナーダイオードＤ１のツェナー電圧でクリップされる。また、負側の楽音信号は、ツェナーダイオードＤ２のツェナー電圧でクリップされる。図１０は、従来のエフェクト回路１００が出力する楽音信号を示すグラフである。縦軸は、電圧［ｖ］、横軸は、時間［ｍｓ］を示している。
【０００７】
図１１は、従来の他のエフェクト回路の回路構成を示す図である。図１１に示す従来の他のエフェクト回路１００は、図９に示す従来のエフェクト回路１００と比較して、ツェナーダイオードＤ１、Ｄ２が、オペアンプＵ１の出力端子に並列に設けられている点が、主に異なる。また、図１１に示す従来の他のエフェクト回路１００は、図９に示す従来のエフェクト回路１００と比較して、抵抗Ｒ４、コンデンサＣ５が追加されている。図１１に示すエフェクト回路１００においては、オペアンプＵ１から出力される、正側の楽音信号は、ツェナーダイオードＤ１のツェナー電圧でクリップされる。また、オペアンプＵ１から出力される、負側の楽音信号は、ツェナーダイオードＤ２のツェナー電圧でクリップされる。
【先行技術文献】
【特許文献】
【０００８】
【特許文献１】国際公開ＷＯ２００３／０７７２３２号公報
【発明の概要】
【発明が解決しようとする課題】
【０００９】
ツェナーダイオードは、逆方向の電圧がツェナー電圧より大きくなると、急に電流が流れる特性を有する。このため、ツェナーダイオードにより、楽音信号をクリップさせると、図１０に示すように、波形が急峻にクリップされ、奇数次倍音が強調される。従って、従来のエフェクト回路から出力される楽音信号は、歪としては粗い音となるという問題がある。
【００１０】
本発明の目的は、楽音信号に丸みのある歪効果を付与することができるエフェクト回路を提供することである。
【課題を解決するための手段】
【００１１】
第１の発明のエフェクト回路は、一方の入力端子に楽音信号が入力され、他方の入力端子に出力端子から出力される前記楽音信号が帰還されるオペアンプと、前記他方の入力端子に接続された入力抵抗と、前記他方の入力端子と前記出力端子との間に設けられた帰還抵抗と、それぞれのカソードが接続され、前記帰還抵抗に並列に設けられたツェナーダイオードと、それぞれのカソードとアノードとが接続されるように、並列に接続され、前記ツェナーダイオードのカソード間に設けられたダイオードと、を備えることを特徴とする。
【００１２】
本発明では、ツェナーダイオードのカソード間に、それぞれのカソードとアノードとが接続されるように、並列に接続されたダイオードが設けられている。従って、楽音信号をクリップする電圧は、ツェナーダイオードのツェナー電圧にダイオードの順方向電圧を加えた電圧となる。すなわち、楽音信号をクリップする電圧が、ダイオードの順方向電圧によって上昇するため、ツェナーダイオードによる急峻なクリップ波形のエッジが丸くなり、耳障りなクリップ音が軽減され、奇数次倍音が減少される。これにより、楽音信号は、丸みのある歪効果が付与された楽音信号となる。このように、本発明によれば、楽音信号に丸みのある歪効果を付与することができる。
【００１３】
また、本発明では、ダイオードにより、楽音信号をクリップする電圧が上昇するため、従来のエフェクト回路に比べて、エフェクト回路から出力される楽音信号の振幅が大きくなる。このように、本発明によれば、従来のエフェクト回路に、ダイオードのみを付加した簡易な回路構成で、大きな振幅の、歪効果を付与した楽音信号を得ることができる。
【００１４】
第２の発明のエフェクト回路は、一方の入力端子に楽音信号が入力され、他方の入力端子に出力端子から出力される前記楽音信号が帰還されるオペアンプと、前記他方の入力端子に接続された入力抵抗と、前記他方の入力端子と前記出力端子との間に設けられた帰還抵抗と、それぞれのカソードが接続され、前記出力端子に並列に設けられたツェナーダイオードと、それぞれのカソードとアノードとが接続されるように、並列に接続され、前記ツェナーダイオードのカソード間に設けられたダイオードと、を備えることを特徴とする。
【００１５】
本発明では、ツェナーダイオードのカソード間に、それぞれのカソードとアノードとが接続されるように、並列に接続されたダイオードが設けられている。従って、楽音信号をクリップする電圧は、ツェナーダイオードのツェナー電圧にダイオードの順方向電圧を加えた電圧となる。すなわち、楽音信号をクリップする電圧が、ダイオードの順方向電圧によって上昇するため、ツェナーダイオードによる急峻なクリップ波形のエッジが丸くなり、耳障りなクリップ音が軽減され、奇数次倍音が減少される。これにより、楽音信号は、丸みのある歪効果が付与された楽音信号となる。このように、本発明によれば、楽音信号に丸みのある歪効果を付与することができる。
【００１６】
また、本発明では、ダイオードにより、楽音信号をクリップする電圧が上昇するため、従来のエフェクト回路に比べて、エフェクト回路から出力される楽音信号の振幅が大きくなる。このように、本発明によれば、従来のエフェクト回路に、ダイオードのみを付加した簡易な回路構成で、大きな振幅の、歪効果を付与した楽音信号を得ることができる。
【００１７】
第３の発明のエフェクト回路は、第１又は第２の発明のエフェクト回路において、前記ダイオードは、アノードとカソードとが直列に接続された２以上のダイオードを含み、並列となる数が異なることを特徴とする。
【００１８】
本発明では、ダイオードは、アノードとカソードとが直列に接続された２以上のダイオードを含み、並列となる数が異なる。例えば、アノードとカソードとが直列に接続された２つのダイオードと、１つのダイオードとが、並列に接続される。このため、正側の楽音信号と、負側の楽音信号と、が非対称にクリップされる。このように、本発明では、エフェクト回路を、楽音信号を非対称にクリップさせて歪効果を付与するオーバードライブ回路とすることができる。
【００１９】
第４の発明のエフェクト回路は、第１又は第２の発明のエフェクト回路において、前記ダイオードは、並列となる数が同じであることを特徴とする。
【００２０】
本発明では、ダイオードは、並列となる数が同じである。このため、正側の楽音信号と、負側の楽音信号と、が対称にクリップされる。このように、本発明では、エフェクト回路を、楽音信号を対称にクリップさせて歪効果を付与するディストーション回路とすることができる。
【００２１】
第５の発明のエフェクト回路は、第１〜第４の発明のいずれかのエフェクト回路において、前記入力抵抗は、可変抵抗であることを特徴とする。
【００２２】
本発明では、入力抵抗が可変抵抗であるため、オペアンプによる増幅率を可変とすることができる。
【００２３】
第６の発明のエフェクト回路は、第１〜第５の発明のいずれかのエフェクト回路において、前記帰還抵抗は、可変抵抗であることを特徴とする。
【００２４】
本発明では、帰還抵抗が可変抵抗であるため、オペアンプによる増幅率を可変とすることができる。
【００２５】
第７の発明のエフェクト回路は、第１〜第６の発明のいずれかのエフェクト回路において、前記ダイオードは、シリコンダイオードであることを特徴とする。
【発明の効果】
【００２６】
本発明によれば、楽音信号に丸みのある歪効果を付与することができる。
【図面の簡単な説明】
【００２７】
【図１】本発明の第１実施形態に係るエフェクト回路の回路構成を示す図である。
【図２】エフェクト回路が出力する楽音信号を示すグラフである。
【図３】第２実施形態に係るエフェクト回路の回路構成を示す図である。
【図４】第３実施形態に係るエフェクト回路の回路構成を示す図である。
【図５】第４実施形態に係るエフェクト回路の回路構成を示す図である。
【図６】第５実施形態に係るエフェクト回路の回路構成を示す図である。
【図７】第６実施形態に係るエフェクト回路の回路構成を示す図である。
【図８】第７実施形態に係るエフェクト回路の回路構成を示す図である。
【図９】従来のエフェクト回路の回路構成を示す図である。
【図１０】従来のエフェクト回路が出力する楽音信号を示すグラフである。
【図１１】従来の他のエフェクト回路の回路構成を示す図である。
【発明を実施するための形態】
【００２８】
以下、本発明の実施形態について説明する。
【００２９】
（第１実施形態）
図１は、本発明の第１実施形態に係るエフェクト回路の回路構成を示す図である。第１実施形態に係るエフェクト回路１は、図９に示す従来のエフェクト回路１００と比較して、ダイオードＤ３、Ｄ４が追加されている点が異なる。
【００３０】
エフェクト回路１は、オペアンプＵ１、ツェナーダイオードＤ１、Ｄ２、ダイオードＤ３、Ｄ４、抵抗Ｒ１〜Ｒ３、コンデンサＣ１〜Ｃ４、可変抵抗ＶＲ１を備える。オペアンプＵ１は、電気楽器から入力される楽音信号を増幅する。オペアンプＵ１の正入力端子（一方の入力端子）には、楽音信号が入力される。また、オペアンプＵ１の正入力端子には、抵抗Ｒ１を介して、バイアス電圧Ｖｃｃ／２が付与される。オペアンプＵ１の負入力端子（他方の入力端子）には、出力端子から出力される楽音信号が帰還される。可変抵抗ＶＲ１は、オペアンプＵ１の負入力端子と出力端子との間、すなわち、オペアンプＵ１の帰還部分に設けられた帰還抵抗である。抵抗Ｒ２は、オペアンプＵ１の負入力端子に接続された入力抵抗である。抵抗Ｒ２と可変抵抗ＶＲとにより、オペアンプＵ１の増幅率が決まる。すなわち、オペアンプＵ１は、抵抗Ｒ２と可変抵抗ＶＲとによって決まる増幅率で楽音信号を増幅する。ユーザーは、例えば、エフェクト回路１の筐体に設けられた図示しない操作ツマミを操作することにより、可変抵抗ＶＲ１の抵抗値を変更することができる。
【００３１】
ツェナーダイオードＤ１、Ｄ２は、それぞれのカソードが接続され、可変抵抗ＶＲに並列に設けられている。すなわち、ツェナーダイオードＤ１、Ｄ２は、オペアンプＵ１の帰還部分に設けられている。
【００３２】
抵抗Ｒ３は、オペアンプＵ１の出力端子に並列に設けられ、一端が接地されている。コンデンサＣ１〜Ｃ３は、図示する位置に設けられている。
【００３３】
ダイオードＤ３、Ｄ４は、それぞれのカソードとアノードとが接続されるように、並列に接続されている。また、ダイオードＤ３、Ｄ４は、ツェナーダイオードＤ１、Ｄ２のカソード間に設けられている。本実施形態では、ツェナーダイオードＤ３、Ｄ４は、シリコンダイオードである。
【００３４】
エフェクト回路１においては、正側の楽音信号は、ツェナーダイオードＤ１のツェナー電圧（例えば、４．７ｖ）とダイオードＤ４の順方向電圧（例えば、０．６ｖ）との和の電圧でクリップされる。また、負側の楽音信号は、ツェナーダイオードＤ２のツェナー電圧（例えば、４．７ｖ）とダイオードＤ３の順方向電圧（例えば、０．６ｖ）の和の電圧でクリップされる。図２は、エフェクト回路１が出力する楽音信号を示すグラフである。縦軸は、電圧［ｖ］、横軸は、時間［ｍｓ］を示している。図２に示すように、ツェナーダイオードＤ１、Ｄ２による急峻なクリップ波形のエッジが丸くなっている。
【００３５】
（第２実施形態）
図３は、第２実施形態に係るエフェクト回路の回路構成を示す図である。図３に示すエフェクト回路１は、図１１に示す従来の他のエフェクト回路１００と比較して、ダイオードＤ３、Ｄ４が追加されている点が異なる。図３に示すエフェクト回路１においては、オペアンプＵ１から出力される、正側の楽音信号は、ツェナーダイオードＤ１のツェナー電圧とダイオードＤ４の順方向電圧との和の電圧でクリップされる。また、オペアンプＵ１から出力される、負側の楽音信号は、ツェナーダイオードＤ２のツェナー電圧とダイオードＤ３の順方向電圧との和の電圧でクリップされる。
【００３６】
以上説明したように、第１及び第２実施形態では、ツェナーダイオードＤ１、Ｄ２のカソード間に、それぞれのカソードとアノードとが接続されるように、並列に接続されたダイオードＤ３、Ｄ４が設けられている。従って、楽音信号をクリップする電圧は、ツェナーダイオードＤ１のツェナー電圧にダイオードＤ４の順方向電圧を加えた電圧、及び、ツェナーダイオードＤ２のツェナー電圧にダイオードＤ３の順方向電圧を加えた電圧となる。すなわち、楽音信号をクリップする電圧が、ダイオードの順方向電圧によって上昇するため、ツェナーダイオードＤ１、Ｄ２による急峻なクリップ波形のエッジが丸くなり、耳障りなクリップ音が軽減され、奇数次倍音が減少される。これにより、楽音信号は、丸みのある歪効果が付与された楽音信号となる。このように、第１及び第２実施形態によれば、楽音信号に丸みのある歪効果を付与することができる。
【００３７】
また、第１及び第２実施形態では、ダイオードＤ３、Ｄ４により、楽音信号をクリップする電圧が上昇するため、従来のエフェクト回路１００に比べて、エフェクト回路１から出力される楽音信号の振幅が大きくなる。このように、第１及び第２実施形態によれば、従来のエフェクト回路１００に、ダイオードＤ３、Ｄ４のみを付加した簡易な回路構成で、大きな振幅の、歪効果を付与した楽音信号を得ることができる。
【００３８】
また、第１及び第２実施形態では、ダイオードＤ３、Ｄ４は、並列となる数が同じ（１つずつ）である。このため、正側の楽音信号と、負側の楽音信号と、が対称にクリップされる。このように、第１及び第２実施形態では、エフェクト回路１を、楽音信号を対称にクリップさせて歪効果を付与するディストーション回路とすることができる。
【００３９】
（第３実施形態）
図４は、第３実施形態に係るエフェクト回路の回路構成を示す図である。第３実施形態に係るエフェクト回路１は、図１に示すエフェクト回路１と比較して、ダイオードＤ５が追加されている点が異なる。ダイオードＤ５は、ダイオードＤ４に直列に接続されている。ダイオードＤ４のアノードと、ダイオードＤ５のカソードと、が接続されている。ダイオードＤ５は、シリコンダイオードである。図４に示すエフェクト回路１においては、正側の楽音信号は、ツェナーダイオードＤ１のツェナー電圧とダイオードＤ４、Ｄ５の順方向電圧との和の電圧でクリップされる。また、負側の楽音信号は、ツェナーダイオードＤ２のツェナー電圧とダイオードＤ３の順方向電圧の和の電圧でクリップされる。
【００４０】
（第４実施形態）
図５は、第４実施形態に係るエフェクト回路の回路構成を示す図である。第４実施形態に係るエフェクト回路１は、図１に示すエフェクト回路１と比較して、ダイオードＤ５が追加されている点が異なる。ダイオードＤ５は、ダイオードＤ３に直列に接続されている。ダイオードＤ３のカソードと、ダイオードＤ５のアノードと、が接続されている。ダイオードＤ５は、シリコンダイオードである。図５に示すエフェクト回路１においては、正側の楽音信号は、ツェナーダイオードＤ１のツェナー電圧とダイオードＤ４の順方向電圧との和の電圧でクリップされる。また、負側の楽音信号は、ツェナーダイオードＤ２のツェナー電圧とダイオードＤ３、Ｄ５の順方向電圧の和の電圧でクリップされる。
【００４１】
（第５実施形態）
図６は、第５実施形態に係るエフェクト回路の回路構成を示す図である。第５実施形態に係るエフェクト回路１は、図３に示すエフェクト回路１と比較して、ダイオードＤ５が追加されている点が異なる。ダイオードＤ５は、ダイオードＤ４に直列に接続されている。ダイオードＤ４のアノードと、ダイオードＤ５のカソードと、が接続されている。ダイオードＤ５は、シリコンダイオードである。図６に示すエフェクト回路１においては、オペアンプＵ１から出力される、正側の楽音信号は、ツェナーダイオードＤ１のツェナー電圧とダイオードＤ４、Ｄ５の順方向電圧との和の電圧でクリップされる。また、オペアンプＵ１から出力される、負側の楽音信号は、ツェナーダイオードＤ２のツェナー電圧とダイオードＤ３の順方向電圧との和の電圧でクリップされる。
【００４２】
（第６実施形態）
図７は、第６実施形態に係るエフェクト回路の回路構成を示す図である。第６実施形態に係るエフェクト回路１は、図３に示すエフェクト回路１と比較して、ダイオードＤ５が追加されている点が異なる。ダイオードＤ５は、ダイオードＤ３に直列に接続されている。ダイオードＤ３のカソードと、ダイオードＤ５のアノードと、が接続されている。ダイオードＤ５は、シリコンダイオードである。図７に示すエフェクト回路１においては、オペアンプＵ１から出力される、正側の楽音信号は、ツェナーダイオードＤ１のツェナー電圧とダイオードＤ４の順方向電圧との和の電圧でクリップされる。また、オペアンプＵ１から出力される、負側の楽音信号は、ツェナーダイオードＤ２のツェナー電圧とダイオードＤ３、Ｄ５の順方向電圧との和の電圧でクリップされる。
【００４３】
以上説明したように、第３〜第６実施形態では、ダイオードＤ３〜Ｄ５は、アノードとカソードとが直列に接続された２つのダイオードと、１つのダイオードとが、並列に接続されており、並列となる数が異なる。このため、正側の楽音信号と、負側の楽音信号と、が非対称にクリップされる。このように、第３〜第６実施形態では、エフェクト回路１を、楽音信号を非対称にクリップさせて歪効果を付与するオーバードライブ回路とすることができる。
【００４４】
（第７実施形態）
図８は、第７実施形態に係るエフェクト回路の回路構成を示す図である。第７実施形態に係るエフェクト回路１は、図１に示すエフェクト回路１と比較して、抵抗Ｒ２に替えて、可変抵抗ＶＲ２を用いている点が異なる。第７実施形態では、オペアンプＵ１の入力抵抗を可変抵抗ＶＲ２としているため、オペアンプＵ１による増幅率を可変とすることができる。
【００４５】
また、第１〜第７実施形態では、オペアンプＵ１の帰還抵抗を可変抵抗ＶＲ１としているため、オペアンプＵ１による増幅率を可変とすることができる。
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の実施形態においては、ダイオードＤ３〜Ｄ５は、シリコンダイオードである。これに限らず、ダイオードＤ３〜Ｄ５は、例えば、ゲルマニウムダイオードであってもよい。
【００４８】
上述の第１及び第２実施形態においては、ダイオードＤ３、Ｄ４は、並列となる数が、１つずつである。これに限らず、エフェクト回路１をディストーション回路とする場合、ダイオードは、直列に接続された２つ以上のダイオードを含み、並列となる数が同じであってもよい。
【００４９】
上述の第３〜第６実施形態においては、ダイオードＤ３〜Ｄ５は、アノードとカソードとが直列に接続された２つのダイオードと、１つのダイオードとが、並列に接続されており、並列となる数が異なる。これに限らず、エフェクト回路１をオーバードライブ回路とする場合、ダイオードは、直列に接続された２つ以上のダイオードを含み、並列となる数が異なっていればよい。
【産業上の利用可能性】
【００５０】
エレクトリックギター、エレクトリックベース等の電気楽器、キーボード等の電子楽器、玩具から入力される楽音信号に歪等の効果を付与するエフェクト回路に好適に採用され得る。
【符号の説明】
【００５１】
１  エフェクト回路
Ｃ１〜Ｃ５  コンデンサ
Ｄ１、Ｄ２  ツェナーダイオード
Ｄ３〜Ｄ５  ダイオード
Ｒ１〜Ｒ４  抵抗
ＶＲ１、ＶＲ２  可変抵抗
【図１】
0006330615.tif 000002
【図２】
0006330615.tif 000003
【図３】
0006330615.tif 000004
【図４】
0006330615.tif 000005
【図５】
0006330615.tif 000006
【図６】
0006330615.tif 000007
【図７】
0006330615.tif 000008
【図８】
0006330615.tif 000009
【図９】
0006330615.tif 000010
【図１０】
0006330615.tif 000011
【図１１】
0006330615.tif 000012